(57)【要約】【課題】ＤＰＥショップで利用されているデジタルミニラボを利用して、一般の消費者に広告プリントを配布することができる簡易な広告プリント出力方法を提供する。【解決手段】本発明に係る広告プリント出力方法は、サーバ（２０）が、広告用のデジタル画像（１００）を記録し、広告期間開始データ及び広告期間終了データを入力し、広告期間開始データに応じて広告用のデジタル画像をデジタルミニラボ（６０）に配信して広告用のデジタル画像に応じた広告プリント（１０２）をプリント出力させ、広告期間終了データに応じて広告期間終了を示す制御信号をデジタル機器に配信して広告用のデジタル画像に応じた広告プリントのプリント出力を停止させることを特徴とする。ネットワークに接続されたデジタルミニラボ（６０）に対して、広告用のデジタル画像の送信及び制御信号の送信を行うことによって、予め定められた広告期間中の広告プリントの配布を可能とした。【選択図】      図１
2004252326.tif 000002
【特許請求の範囲】
【請求項１】
印画紙にデジタル画像による潜像の形成及び現像処理を行うことによって広告プリントをプリント出力することが可能なデジタル機器とネットワークを通じて接続可能なサーバにおける広告プリント出力方法において、
広告用のデジタル画像を記録し、
広告期間開始データ及び広告期間終了データを入力し、
前記広告期間開始データに応じて、前記広告用のデジタル画像を前記デジタル機器に送信して前記広告用のデジタル画像に応じた広告プリントをプリント出力させ、
前記広告期間終了データに応じて、広告期間終了を示す制御信号を前記デジタル機器に送信して前記広告用のデジタル画像に応じた広告プリントのプリント出力を中止させることを特徴とする広告プリント出力方法。
【請求項２】
広告用のデジタル画像を送信するサーバとネットワークを通じて接続可能であり、印画紙にデジタル画像による潜像の形成及び現像処理を行うことによって広告プリントをプリント出力することが可能なデジタル機器における広告プリント出力方法において、
前記サーバから前記広告用のデジタル画像を受信し、
前記広告用のデジタル画像の受信に応じて、前記広告用のデジタル画像に応じた広告プリントをプリント出力し、
前記サーバからの広告期間終了を示す制御信号の受信に応じて、前記広告用のデジタル画像に応じた広告プリントのプリント出力を中止することを特徴とする広告プリント出力方法。
【請求項３】
広告用のデジタル画像を送信するサーバとネットワークを通じて接続可能であり、印画紙にデジタル画像による潜像の形成及び現像処理を行うことによって広告プリントをプリント出力することが可能なデジタル機器における広告プリント出力方法において、
前記サーバから前記広告用のデジタル画像を受信し、
前記広告用のデジタル画像に応じた広告プリントをプリント出力し、
前記広告プリントのプリント出力枚数を計数し、
前記サーバからの制御信号に応じて、出力枚数の計数結果を前記サーバに送信することを特徴とする広告プリント出力方法。
【請求項４】
広告用のデジタル画像を送信するサーバとネットワークを通じて接続可能であり、印画紙にデジタル画像による潜像の形成及び現像処理を行うことによって広告プリントをプリント出力することが可能であり、印画紙に現像済みフィルムによる潜像の形成及び現像処理を行うことによってプリント出力することが可能なデジタル機器における広告プリント出力方法において、
前記サーバから前記広告用のデジタル画像を受信し、
前記現像済みフィルムによるプリント出力に応じて、前記広告用のデジタル画像に応じた広告プリントをプリント出力することを特徴とする広告プリント出力方法。
【発明の詳細な説明】
【０００１】
【発明の属する技術分野】
本発明は、広告プリント出力方法に関し、特にネットワークに接続されたデジタルミニラボを用いて、広告プリントを出力させることができる広告プリント出力方法に関する。
【０００２】
【従来の技術】
従来、展示会場等で、来場者に記念品を配る代わりに、広告入り写真プリントを配る宣伝システムが知られている（例えば、特許文献１）。
【０００３】
このような宣伝システムでは、来場者が取った写真に、展示会場の施設側又は施設側と提携しているスポンサーの広告を合成して広告入り写真プリント作成するものである。広告入り写真プリントは、展示会場の来場者に無料で配られ、それによる広告宣伝効果を期待することができた。
【０００４】
【特許文献１】
特開２００２−５１２０４（第４頁、第１図）
【０００５】
【発明が解決しようとする課題】
しかしながら、このような広告入りの写真プリントは、あくまでも、来場者の取った写真が主であって、広告は写真の隅又は小さくしか表示することができなかった。
【０００６】
また、このような広告入りの写真プリントを配布することができるのは、展示会、イベント会場等の特別の場所であって、さらに画像を合成するための特殊な機器を必要とするために、簡単には無料の広告入り写真プリントを配布することができないという不具合もあった。
【０００７】
そこで、本発明は、近年多くのＤＰＥショップで利用されているデジタルミニラボを利用して、一般の消費者に広告プリントを配布することができる簡易な広告プリント出力方法を提供することを目的とする。
【０００８】
また、本発明は、ネットワークを通じて広告入り写真を広くＤＰＥショップに配信することにより、広範囲で同じ広告入り写真プリントを配布することを可能とする広告プリント出力方法を提供することを目的とする。
【０００９】
さらに、本発明は、広告期間を限定して広範囲で同じ広告入り写真プリントを配布することを可能とする広告プリント出力方法を提供することを目的とする。
【００１０】
さらに、本発明は、消費者に配布された広告プリントを集計することを可能とする広告プリント出力方法を提供することを目的とする。
【００１１】
【課題を解決するための手段】
上記の目的を達成するために、本発明に係る広告プリント出力方法は、広告用のデジタル画像を記録し、広告期間開始データ及び広告期間終了データを入力し、広告期間開始データに応じて広告用のデジタル画像をデジタル機器に送信して広告用のデジタル画像に応じた広告プリントをプリント出力させ、広告期間終了データに応じて広告期間終了を示す制御信号をデジタル機器に送信して広告用のデジタル画像に応じた広告プリントのプリント出力を中止させることを特徴とする。サーバが、ネットワークに接続されたデジタルミニラボに対して、広告用のデジタル画像の送信及び制御信号の送信を行うことによって、予め定められた広告期間の間だけ、広告プリントの配布するように構成したものである。
【００１２】
また、上記の目的を達成するために、本発明に係る広告プリント出力方法は、サーバから広告用のデジタル画像を受信し、広告用のデジタル画像の受信に応じて広告用のデジタル画像に応じた広告プリントをプリント出力し、サーバからの広告期間終了を示す制御信号の受信に応じて広告用のデジタル画像に応じた広告プリントのプリント出力を中止することを特徴とする。ネットワークに接続されたサーバから、広告用のデジタル画像及び制御信号を受信することによって、予め定められた広告期間の間だけ、広告プリントの配布するように構成したものである。
【００１３】
また、上記の目的を達成するために、本発明に係る広告プリント出力方法は、サーバから広告用のデジタル画像を受信し、広告用のデジタル画像に応じた広告プリントをプリント出力し、広告プリントのプリント出力枚数を計数し、サーバからの制御信号に応じて出力枚数の計数結果をサーバに送信することを特徴とする。ネットワークに接続されたサーバから、広告用のデジタル画像受信することによって広告プリントを出力し、出力したプリント出力枚数をサーバに送信することによって、広告プリントの出力枚数の集計できるように構成したものである。
【００１４】
また、上記の目的を達成するために、本発明に係る広告プリント出力方法は、サーバから広告用のデジタル画像を受信し、現像済みフィルムによるプリント出力に応じて、前記広告用のデジタル画像に応じた広告プリントをプリント出力することを特徴とする。消費者からのプリント依頼毎に、広告プリントを出力するように構成したものである。
【００１５】
【発明の実施の形態】
以下、本発明に係る広告プリント出力方法を添付図面を参照して詳述する。
【００１６】
図１に、本発明に係る広告プリント出力方法を実施するための全体システムの概要を示す。システムサーバ２０、ＰＣ（パーソナルコンピュータ）４０、及びデジタルミニラボ６０が、ＬＡＮ、ＷＡＮ、インターネット等のクローズ又はオープンなネットワーク１０に対して、相互にアクセス可能に接続されている。
【００１７】
システムサーバ２０及びＰＣ４０は、少なくとも、ＣＰＵ等から構成される制御部、各種データの送受信を行うための送受信部、ディスプレイ等の表示部、メモリや各種記録媒体等から構成される記憶部、及びキーボード及びマウス等から構成される入力操作部を有している。また、システムサーバ２０及びＰＣ４０の各記憶部には、各種処理を行うためのプログラム等が記憶されているものとする。さらに、ＰＣ４０には、ＦＤ、ＭＤ、ＣＤ、フォトＣＤ又はＤＶＤ等の記録メディア２００に画像情報を記録するためのドライバが付属されている。
【００１８】
ＡＤ（広告）システム３０は、広告主である企業９０から代理店８０を通じて、企業９０が希望する広告を受注する。ＡＤシステム３０は、企業９０の希望するデジタル広告プリント画像１００を作成して、予めシステムサーバ２０内の記憶部に記憶させておく。
【００１９】
図２に、広告プリント画像１００の一例を示す。広告プリント画像１００は、広告画像１１０、クーポン券画像１１２及び割引券画像１１４等を含むことができる。広告プリント画像１００は、一般消費者に認知度の高い企業によるものであって、公共に反しない内容であり、消費者に何らかの利益（クーポン券又は割引券として利用価値がある等）があるものが望ましい。また、広告プリント画像１００は、消費者の画像と合成させるわけではないので、広告主の希望通りに自由にデザインすることができる。
【００２０】
図３に、本発明に係る広告プリント出力方法に利用されるデジタルミニラボ６０の機能を説明するための概略構成図を示す。デジタルミニラボ６０は、制御部６００、モニタ６０２、キーボード及びマウス等から構成される操作部６０４、現像済みのネガ又はポジフィルムからデジタル画像を読取るためのフィルムスキャナ６０５、各種記録メディアに記録されたデジタル画像情報を入力するためのメディア読取部６０６、ネットワーク１０を経由してデジタル広告プリント画像１００及び各種制御信号等の各種データの送受信を行うための送受信部６０８、印画紙１５０にカラー潜像の記録を行うための露光ヘッド６１０、広告プリント画像１００を記録するための画像メモリ６１２、カラー印画紙１５０の現像プロセスを制御するための駆動部６１４、及び現像部を有している。各構成は、バス６１６によって相互に接続されている。現像部は、複数種類のサイズ幅の印画紙用カートリッジ６１８、カッター６２０、露光部６２２、現像処理部６２４、乾燥部６２６及びスタッカー６２８等から構成されている。
【００２１】
なお、デジタルミニラボ６０は、必ずしも送受信部６０８を有している必要は無い。その場合、デジタルミニラボ６０は、ネットワーク１０に接続されているＰＣ４０等を経由して広告プリント画像１００を受取ることとなる。また、一般のパーソナルコンピュータをデジタルミニラボと接続して、送受信部６０８として動作させることもできる。
【００２２】
広告プリントのプリント手順について説明する。デジタル広告プリント画像１００が、一旦画像メモリ６１２に記録される。その後、カッター６２０によって所定のサイズにカットされた印画紙１５０上に、露光ヘッド６１０によって、記録された広告プリント画像１００に対応したカラー潜像が形成される。潜像が形成された印画紙１５０は、現像処理部６２４で現像されて発色し、乾燥部６２６で乾燥されて、スタッカー６２６に排出されて、広告プリントとなる。
【００２３】
以下、ネットワークに接続されているＰＣ４０とネットワークに接続されていないデジタルミニラボ６０を有する一般のＤＰＥショップ５０における、本発明に係る広告プリント出力方法について説明する。
【００２４】
ＤＰＥショップ５０の操作者がＰＣ４０を用いてシステムサーバ２０にアクセスして、広告プリント画像１００をダウンロードする。ダウンロードされた広告プリント画像１００は、一旦記録メディア２００（例えば、ＣＤ−Ｒ）に記録された後、デジタルミニラボ６０に入力される。デジタルミニラボ６０は、広告プリント画像１００をカラー印画紙１５０上にプリント出力し、広告プリント１０１が作成される。ＤＰＥショップ５０の操作者は、ＤＰＥショップ５０を訪れる消費者に広告プリント１０１を配布する。このようにして、一般のＤＰＥショップ５０で、広く、広告プリント１０１を配布することができる。広告プリント１０１の配布は、例えば同時プリント又は焼き増しの依頼を受けた場合に、それらのプリントと合わせてプリント袋に入れて消費者に配布される。
【００２５】
図４に、広告プリント出力方法の詳細な手順のフローを示す。
【００２６】
最初に、ＤＰＥショップ５０の操作者がＰＣ４０を用いてシステムサーバ２０にアクセスして、予め設定されているパスワード及ＩＤ番号等を送信する（ステップ４０１）。
【００２７】
システムサーバ２０は、パスワード及ＩＤ番号を受信後（ステップ４０２）、配信データベースを照会して（ステップ４０３）、予め設定されているパスワード及ＩＤ番号を受信した場合には、受信したパスワード及ＩＤ番号に応じた案内画面を作成する（ステップ４０４）。
【００２８】
ステップ４０３で照会される配信先データベースの一例を図５に示す。図５において、配信先データベースは、ＩＤ番号５０１、パスワード５０２、店名５０３、住所５０４、配信用の広告プリント画像ファイル番号５０５、広告期間情報５０６、広告条件ファイル番号５０７から構成されている。
【００２９】
ステップ４０４で作成される案内画面の一例を図６に示す。図６では、配信先データベースに記録されているＩＤ番号、パスワード、店名及び住所が、案内画面の所定の箇所６０１、６０２、６０３及び６０５に表示される。また、配信先データベースの配信用の広告プリント画像ファイル番号５０５に対応した画像ファイルに記録されているデジタル広告プリント画像１００の縮小画像が６０４に表示される。さらに、配信データベースの広告条件ファイル番号５０７に対応した文書ファイルに記録されている文字データが６０６に表示される。
【００３０】
次に、システムサーバ２０は、作成された案内画面をＰＣ４０へ送信し（ステップ４０５）、ＰＣ４０はその画像を受信して（ステップ４０６）、表示画面に表示する。操作者が、広告プリント画像６０４及び広告条件６０６等を確認後、ダウンロードボタン６０７をクリックすることによってダウンロード依頼を送信すると（ステップ４０７）、その旨がシステムサーバ２０で受信されて（ステップ４０８）、配信先データベースの配信用の広告プリント画像ファイル番号５０５に対応した画像ファイルに記録されている広告プリント画像１００が送信される（ステップ４０９）。
【００３１】
操作者は、ＰＣ４０において広告プリント画像１００を受信後（ステップ４１０）、広告プリント画像１００を記録メディア２００に記録する（ステップ４１１）。次に操作者は、画像記録済みの記録メディア２００をデジタルミニラボ６０にメディア読取部６０６セットして、操作部６０４を用いて所定の処理を行い、広告プリント画像１００に対応した広告プリント１０１を所定枚数プリントする（ステップ４１２）。その後、操作者は、プリントされた広告プリント１０１を、広告期間情報６０５に示された期間中、消費者に配布する（ステップ４１３）。
【００３２】
ＡＤシステム３０では、配信先データベース上で、ＩＤ番号及びパスワードを設定したＤＰＥショップの位置に応じて、配信用の広告プリント画像を切替えて設定することができる。例えば、関東地区と関西地区での切替え、アメリカと日本での切替え等を、配信先データベースを管理するだけで自由に行うことができる。
【００３３】
次に、ネットワークに接続されているデジタルミニラボ６０を有する一般のＤＰＥショップ７０における、本発明に係る広告プリント出力方法について説明する。
【００３４】
システムサーバ２０は、広告期間開始後、広告プリント画像１００をデジタルミニラボ６０に送信し、デジタルミニラボ６０は受信した広告プリント画像１００を画像メモリ６１２に記憶する。デジタルミニラボ６０は、ＤＰＥショップ７０における通常のプリント動作に合わせて、広告プリント画像１００に応じた広告プリント１０２をプリントする。さらに、システムサーバ２０は、広告期間終了後、デジタルミニラボ６０から広告プリントが出力されないように制御を行う。このようにして、一般のＤＰＥショップ７０で、操作者の手を煩わせることなく、広告プリント１０２を、広く消費者に、期間を設定して配布することができる。なお、通常プリントとは、例えば消費者からの同時プリント又は焼き増しの依頼に応じて、現像済みネガ又はポジフィルムからプリントを行うことを言う。
【００３５】
図７に、広告プリント出力方法のＡＤシステム側の詳細な手順のフローを示す。
【００３６】
最初に、操作者は、システムサーバ２０の操作部を用いて、管理を行うＤＰＥショップ７０のＩＤ番号を選択する（ステップ７０１）。なお、複数のＤＰＥショップを一括して管理することもできるが、ここでは、説明の便宜上、１つのＤＰＥショップ７０のみを管理しているものとして説明を行う。
【００３７】
次に、配信先データベース２を照会して（ステップ７０２）、該当するＩＤ番号を有するＤＰＥショップのへの配信広告プリント画像の広告期間情報を取得する（ステップ７０３）。
【００３８】
ステップ７０２で照会される配信先データベース２の一例を図８に示す。図８において、配信先データベース２は、ＩＤ番号８０１、パスワード８０２、店名８０３、住所８０４、配信用の広告プリント画像ファイル番号８０５、広告期間情報８０６、配信済みか否かを示すデータ８０７、広告プリント出力枚数データ８０８から構成されている。広告期間情報８０６は、少なくとも広告期間開始データ及び広告期間終了データを含むものとする。広告期間開始データ及び広告期間終了データは、システムサーバ２０の操作部等から入力されて、配信先データベース２へ記録される。
【００３９】
次に、システムサーバ２０は、日時情報（現在の日時）を取得して（ステップ７０４）、広告期間が開始されているかを判断する（ステップ７０５）。開始されていない場合には、ステップ７０２へ戻り、現時点で広告期間を終了している場合には、ステップ７０６へ進む。
【００４０】
ステップ７０６では、配信先データベース２の配信済みデータ８０７を基準にして、配信用の広告プリント画像が既にＤＰＥショップに配信されているか否かを判断する。配信されていない場合には、ステップ７０７で、配信用の広告プリント画像ファイル番号８０５に対応する画像ファイルに記録されているデジタル広告プリント画像をステップ７０１で選択したＤＰＥショップのデジタルミニラボ７０へ送信する。送信するための各種データは、予めＩＤ番号とリンクして別途記憶されているものとする。また、送信と同時に、配信済みデータ８０７を「配信済み」を示すデータに変更する。
【００４１】
ステップ７０６で、既に配信済みであると判断された場合には、現時点が広告期間を終了しているか否かが判断される（ステップ７０８）。広告期間を終了していない場合は、ステップ７０２へ戻り、終了していると判断された場合には、広告期間終了を示す制御信号を、ステップ７０１で選択したＤＰＥショップのデジタルミニラボ７０へ送信する（ステップ７０９）。
【００４２】
次に、ステップ７０１で選択したＤＰＥショップのデジタルミニラボ７０から、配信したデジタル広告プリント画像１００に対応する広告プリント１０２を出力した枚数のデータを受信し、配信先データベース２の広告プリント出力枚数データ８０８として記録する（ステップ７１０）。このような手順にしたがって、１つのＤＰＥショップ７０に対する１つの広告プリント画像１００の管理を行う。前述したように、複数のＤＰＥショップを同時に管理することも可能であり、その場合、ＤＰＥショップへの広告プリント画像の配信を地域を区切って切替えるように管理することもできる。さらに、１つのＤＰＥショップについて、複数の広告プリント画像を異なった広告期間で管理することもできる。
【００４３】
次に、図９に、広告プリント出力方法のデジタルミニラボ７０側の詳細な手順のフローを示す。ここで、デジタルミニラボ７０は、常にネットワーク１０に接続されていて、システムサーバ２０から広告プリント画像１００及び広告期間終了を示す制御信号を受信することができ、また自動的に受信した広告プリント画像１００は画像メモリ６１２に記憶され、さらに広告プリント画像１００及び広告期間終了を示す制御信号を受信した時はそれぞれを受信したことを示すフラグが制御部６００に設定されるものとする。
【００４４】
最初に、プリントを作成するためのネガ又はポジフィルムが検知されたか否かを判断する（ステップ９０１）。操作者が現像済みフィルムをフィルムスキャナに挿入したことを検知して、それに応じて広告プリント１０２を出力するためである。
【００４５】
次に、広告プリント画像１００を受信しているか否かを判断する（ステップ９０２）。受信していない場合には、ステップ９０８へ移行し、通常の現像済みフィルムからのプリント動作を行って、次の現像済みフィルムの入力を待機する。広告プリント画像１００を受信している場合には、広告期間終了を示す制御信号を受信していないかを判断する（ステップ９０３）。
【００４６】
広告プリント画像１００を受信しており、且つ広告期間終了を示す制御信号を受信していない場合には、現像済みフィルムのプリントに際して設定されたサイズに合わせて受信した広告プリント画像を調整する（ステップ９０５）。消費者が依頼したプリントと同じサイズの広告プリント１０２をプリントするためである。
【００４７】
次に、露光ヘッド６１０によってサイズ調整された広告プリント画像のプリントを行い（ステップ９０６）、広告プリントのプリント枚数カウントを＋１する（ステップ９０７）。続いて、通常のプリントを行う（ステップ９０８）。即ち、本手順では、消費者が依頼したプリントの一番上に自動的に広告プリント１０２が置かれることとなる。デジタルミニラボ７０の操作者は、一番上に広告プリント１０２が置かれたプリントの束を所定の袋に入れて、消費者に渡すこととなる。
【００４８】
ステップ９０３で、広告期間終了を示す制御信号を受信していた場合、それまでカウントしていた広告プリントのプリント枚数のカウントデータを、システムサーバ２０へ送信し（ステップ９０９）、プリント枚数のカウントデータをリセットする。続いて、画像メモリ６１２に記録されていた広告プリント画像を削除して、広告プリント画像１００及び広告期間終了を示す制御信号を受信したことを示すフラグをそれぞれ解除する。その後ステップ９０８で通常のプリント動作を行う。
【００４９】
なお、図９のフローでは、プリント枚数のカウントデータは、広告期間終了を示す制御信号の受信後、次の現像済みフィルムの通常のプリント動作に合わせてシステムサーバ２０へ送信されることとなるが、広告期間終了を示す制御信号の受信後、直ぐに、図９のステップ９０９及び９１０を行って、プリント枚数のカウントデータをシステムサーバ２０へ送信するようにしても良い。
【００５０】
このようにして受信されたプリント枚数のカウントデータが配信先データベース２に記録されていくと、配信先データベース２をチェックすることによって、実際に広告プリントが出力された枚数を地域毎、期間毎に集計することができる。
【００５１】
また、図９のフローでは、通常のプリント動作によるプリント出力の一番上に広告プリント１０２が置かれることとなるが、最後に置かれるように制御しても良い。
【００５２】
以上では、デジタルミニラボ７０を有するＤＰＥショップで、広告プリントをプリント出力する場合を例にして説明したが、デジタルミニラボ７０を設置してある集配ラボ、大規模現像ラボ等であっても同様の方法を実施することができる。また、本発明を実施するに際しては、前述したデジタルミニラボ７０と同様の機能を有している機器を有していれば良く、その場合には必ずしもデジタルミニラボ７０を有している必要はない。
【００５３】
【発明の効果】
このように、本発明に係る広告プリント出力方法によれば、広範囲のＤＰＥショップで広告プリントを配布することが可能となった。
【００５４】
また、本発明に係る広告プリント出力方法によれば、自動的に広告プリントを出力することができるようにしたので、デジタルミニラボの操作者を煩わすことなく、広告プリントを配布することが可能となった。
【００５５】
さらに、本発明に係る広告プリント出力方法によれば、自動的に広告プリント枚数をカウントできるように構成したので、実際にどれだけの広告プリントが消費者に配布されたかを明確に把握することが可能となった。
【００５６】
さらに、本発明に係る広告プリント出力方法によれば、広告プリントを出力する期間を正確に制限することができるので、正確に期間を区切って広告プリント配布することが可能となった。
【図面の簡単な説明】
【図１】本発明を実施するための全体システムの概要を示す図である。
【図２】広告プリント画像の一例を示す図である。
【図３】デジタルミニラボの機能を説明するための概念図である。
【図４】本発明に係る広告プリント出力方法の手順を示すフロー図である。
【図５】配信データベースの一例を示す図である。
【図６】案内画面の一例を示す図である。
【図７】本発明に係る広告プリント出力方法におけるＡＤシステム側の手順を示すフロー図である。
【図８】配信データベース２の一例を示す図である。
【図９】本発明に係る広告プリント出力方法におけるデジタルミニボ側の手順を示すフロー図である。
【符号の説明】
２０…システムサーバ２０
４０…ＰＣ
７０…デジタルミニラボ
１００…広告プリント画像
１０１、１０２…広告プリント
２００…記録メディア
６０５…フィルムスキャナ
６０８…送受信部
６１０…露光ヘッド
６１２…画像メモリ
【図１】
2004252326.tif 000003
【図２】
2004252326.tif 000004
【図３】
2004252326.tif 000005
【図４】
2004252326.tif 000006
【図５】
2004252326.tif 000007
【図６】
2004252326.tif 000008
【図７】
2004252326.tif 000009
【図８】
2004252326.tif 000010
【図９】
2004252326.tif 000011